(57)【要約】【課題】凝縮器に備えられたファン後方の距離が確保しにくい薄型自販機においても適用可能であり、適正な運転が出来る自動販売機を提供することを目的とする。【解決手段】圧縮機５と凝縮器２と庫内熱交換器１９とを有する冷却加温ユニット１１を備えた自動販売機で、本体下部に区画形成された機械室内に圧縮機５と凝縮器２と排水蒸発装置１５を配置し、凝縮器２近傍に少なくとも３つのファン１２、１３、１４と、各ファンからの空気をそれぞれ異なる方向へ導くエアガイド１６とを備え、各ファンの運転をそれぞれ独立して運転可能としたものであり、凝縮器２の温度を適正な温度でコントロールする事が出来、且つ圧縮機５の冷却と排水蒸発装置１５の蒸発を環境、運転条件に応じて個別もしくは同時に行う事が出来、ファン後方の距離が確保しにくい自販機においても適用可能となる。【選択図】図１
2012178100.tif 000002
【特許請求の範囲】
【請求項１】
圧縮機と凝縮器と庫内熱交換器とを有する冷却加温ユニットを備えた自動販売機で、本体下部に区画形成された機械室内に前記圧縮機と前記凝縮器と排水蒸発装置を配置し、前記凝縮器近傍に少なくとも３つのファンと、前記ファンからの空気をそれぞれ異なる方向へ導くエアガイドとを備え、前記ファンの運転をそれぞれ独立して運転可能とすることを特徴とする自動販売機。
【請求項２】
前記ファンの数は、前記排水蒸発装置に近い側を多く配置することを特徴とする請求項１に記載の自動販売機。
【請求項３】
前記ファンの数は、前記凝縮器に対して上方を下方より多く配置することを特徴とする請求項１に記載の自動販売機。
【請求項４】
前記ファンとエアガイドまでの距離をそれぞれ異なる寸法としたことを特徴とする請求項１から３のいずれか一項に記載の自動販売機。
【請求項５】
前記ファンとエアガイドは前記圧縮機と前記凝縮器との間に配置したことを特徴とする請求項１から４のいずれか一項に記載の自動販売機。
【請求項６】
前記機械室の奥行方向に前記圧縮機と前記ファンとエアガイドと前記凝縮器とを並べて配置し、前記圧縮機と前記ファンとエアガイドと前記凝縮器の側方で前記機械室の略全奥行に跨って前記排水蒸発装置を配置したことを特徴とする請求項１から５のいずれか一項に記載の自動販売機。
【発明の詳細な説明】
【技術分野】
【０００１】
本発明は自動販売機の冷却加温装置に関するものである。
【背景技術】
【０００２】
従来この種の自動販売機の冷却加温装置として特許文献１のものがある。
【０００３】
以下、図面を参照しながら上記従来の自動販売機の冷却加温装置について説明する。
【０００４】
図５に示すように冷却ユニット１０１は図示しない冷却ユニットの一部である蒸発器を構成しており庫内と区画された自動販売機本体ケース下部に設置されている。冷却ユニットには凝縮器１０２、圧縮機１０５が設置され配管にて接続されている。凝縮器用ファン１０３は凝縮器１０２後方に設置されており、エアガイド１０４は凝縮器１０２上部に接続され、エアガイド１０４上部にあたるガイド１０４ａにて凝縮器１０２上部からの吐出空気を蒸発皿１０７側へ導く様、形成されている。
【０００５】
排気ファン１０６は圧縮機１０５後方に配置されている。蒸発皿１０７には高圧高温の冷媒パイプの一部を引き出して形成された蒸発パイプ１０８と、排水を吸い上げ蒸発させる為の蒸発シート１０９と、排水を蒸発皿１０７に導く為のドレンガイドが設けられている。
【０００６】
以上のように構成された自動販売機の冷却ユニットについて、以下その動作を説明する。
【０００７】
凝縮器用ファン１０３により凝縮器１０２前面から外気を吸い込み凝縮器１０２と熱交換を行う。熱交換を行った外気は高温空気となり、凝縮器用ファン１０３から吐出される。凝縮器１０２下部から吐出された空気は凝縮器１０２の約半分程の高さである圧縮機１０５を空冷し、後方にある排気ファン１０６にて排気される。一方凝縮器１０２上部から吐出された空気はエアガイド１０４にあるガイド１０４ａにより向きを変え、冷却ユニット横に設置された蒸発皿１０７の方へ導かれる。自動販売機の庫内を冷却した場合、図示しない冷却ユニット１０１の蒸発器により庫内空気が凝縮され排水される。その排水はドレンガイド１１０により蒸発皿１０７に導かれ溜まる。溜まった排水は高温の蒸発パイプ１０８の影響を受け、温度が高くなる。溜まった排水は蒸発シートにて吸い上げられ、ガイド１０４ａにて導かれた空気の影響を受けて蒸発を促進する。
【先行技術文献】
【特許文献】
【０００８】
【特許文献１】特開平７−５７１３９号公報
【発明の概要】
【発明が解決しようとする課題】
【０００９】
しかしながら上記従来の自動販売機の冷却加温装置では、奥行きの狭い薄型自販機に採用した場合、単一である凝縮器用ファンとエアガイドの距離が狭くなり、動圧が上がる事により風量が下がってしまう。これにより凝縮器用ファンからの空気の一部を蒸発皿に導いている為、排水量が多い高温多湿条件では蒸発性能が不足するという課題を有していた。また、風量低下により凝縮温度が上昇し冷却能力が下がるという課題を有していた。また、単一凝縮器ファンにて圧縮機冷却と排水の蒸発を同時に行っている為、ヒートポンプ運転等の加温運転では圧縮機の温度が下がり過ぎてしまうという課題を有していた。
【００１０】
本発明は上記従来の課題を解決するもので、凝縮器に備えられたファン後方の距離が確保しにくい自販機においても適用可能であり、適正な運転が出来る自動販売機を提供することを目的とする。
【課題を解決するための手段】
【００１１】
上記従来の課題を解決するために、本発明の自動販売機は、圧縮機と凝縮器と庫内熱交換器とを有する冷却加温ユニットを備えた自動販売機で、本体下部に区画形成された機械室内に前記圧縮機と前記凝縮器と排水蒸発装置を配置し、前記凝縮器近傍に少なくとも３つのファンと、前記ファンからの空気をそれぞれ異なる方向へ導くエアガイドとを備え、前記ファンの運転をそれぞれ独立して運転可能とし、ファンを個別に風量制御するものである。
【００１２】
これにより、凝縮器温度を適正な温度でコントロールする事が出来、且つ圧縮機冷却と排水蒸発を環境、運転条件に応じて適正に行う事が出来る。
【発明の効果】
【００１３】
本発明の自動販売機の冷却加温装置は、凝縮器温度を適正な温度でコントロールする事が出来、且つ圧縮機冷却と排水蒸発を環境、運転条件に応じて適正に行う事が出来るので、凝縮器に備えられたファン後方の距離が確保しにくい自販機にも適用可能となる。
【図面の簡単な説明】
【００１４】
【図１】本発明の実施の形態１を示す自動販売機の冷却加温装置の平面図
【図２】本発明の実施の形態１を示す自動販売機の冷却加温装置の側面図
【図３】図２におけるＤ−Ｄ断面図
【図４】図２におけるＥ−Ｅ断面図
【図５】従来の自動販売機の冷却加温装置の構成図
【発明を実施するための形態】
【００１５】
請求項１に記載の発明は、圧縮機と凝縮器と庫内熱交換器とを有する冷却加温ユニットを備えた自動販売機で、本体下部に区画形成された機械室内に前記圧縮機と前記凝縮器と排水蒸発装置を配置し、前記凝縮器近傍に少なくとも３つのファンと、前記ファンからの空気をそれぞれ異なる方向へ導くエアガイドとを備え、前記ファンの運転をそれぞれ独立して運転可能とし、ファンを個別に風量制御することにより、凝縮器温度を適正な温度でコントロールする事が出来、且つ圧縮機冷却と排水蒸発を環境、運転条件に応じて適正に行う事が出来る。
【００１６】
請求項２に記載の発明は、請求項１の発明において、前記ファンの数は、前記排水蒸発装置に近い側を多く配置するものであり、排水蒸発能力をより高めることが出来る。
【００１７】
請求項３に記載の発明は、請求項１の発明において、前記ファンの数は、前記凝縮器に対して上方を下方より多く配置するものであり、排水蒸発装置の上方に置かれた蒸発シートにより多くの空気を効率良く送る事が出来、排水蒸発能力をより高めることが出来る。
【００１８】
請求項４に記載の発明は、請求項１から３のいずれか一項に記載の発明において、前記ファンとエアガイドまでの距離をそれぞれ異なる寸法としたものであり、風量を最も少なくしたい時は距離の短い前記ファンを単独で運転を行い、風量を多くしたい場合は距離の長い前記ファンを単独で運転を行う。さらに風量を多くしたい場合は前記ファンを複数で同時に運転を行う。風量の違う前記ファンを組み合わせて運転を行う事により凝縮器温度を適正な温度でコントロールする事が出来る。
【００１９】
請求項５に記載の発明は、請求項１から４のいずれか一項に記載の発明において、前記ファンとエアガイドは前記圧縮機と前記凝縮器との間に配置したものであり、前記ファンからの空気を後方の前記圧縮機だけでは無く、側方の前記排水蒸発装置、もしくは双方とも同時に等、自由に風の向きを変える事が出来る。
【００２０】
請求項６に記載の発明は、請求項１から５のいずれか一項に記載の発明において、前記機械室の奥行方向に前記圧縮機と前記ファンとエアガイドと前記凝縮器とを並べて配置し、前記圧縮機と前記ファンとエアガイドと前記凝縮器の側方で前記機械室の略全奥行に跨って前記排水蒸発装置を配置したものであり、前記ファンからの空気を前記エアガイドにより後方の前記圧縮機に、側方の前記排水蒸発装置、もしくは双方とも同時に等、自由に風の向きを変える事が出来、前記凝縮器用ファン後方の距離が確保しにくい自販機においても適用可能となる。
【００２１】
以下、本発明の実施の形態について、図面を参照しながら説明する。なお、この実施の形態によってこの発明が限定されるものではない。
【００２２】
（実施の形態１）
図１は本発明の実施の形態１における自動販売機の冷却加温装置の平面図、図２は本発明の実施の形態１における自動販売機の冷却加温装置の側面図、図３は図２におけるＤ−Ｄ断面図、図４は図２におけるＥ−Ｅ断面図である。
【００２３】
図１において、庫内と区画された自動販売機本体ケース下部の機械室内に冷却加温ユニット１１が設置されている。冷却加温ユニット１１は凝縮器２と、圧縮機５と、凝縮器２の近傍に複数のファン１２、ファン１３、ファン１４とを備えている。
【００２４】
また、ファン１２、１３、１４の後方にはそれぞれのファンに対応し、それぞれ異なる方向へ導くためのガイド１６ａ、ガイド１６ｂ、ガイド１６ｃを有するエアガイド１６を備えている。
【００２５】
また、自動販売機庫内からの排水を蒸発させる為の排水蒸発装置１５を冷却加温ユニット１１の側面に備え、排水蒸発装置１５の上方には蒸発を促進させるための蒸発シート９を有している。
【００２６】
なお、ファン１２、ファン１３、ファン１４を個別に制御する為のファンコントロール部１７と、庫内を冷却もしくは加温する為の庫内熱交換器１９、もしくは凝縮器２の温度を検知する為の温度検知手段１８を備えている。
【００２７】
そして、ファン１２〜１４は、凝縮器２に対して上方を下方より多く配置しており、且つ排水蒸発装置１５に近い側を多く配置されている。
【００２８】
また、エアガイド１６はファン１２、１３、１４の後方にそれぞれ設けてあり、それぞれのファン１２、１３、１４とエアガイド１６までの距離が違う複数のガイド１６ａ、ガイド１６ｂ、ガイド１６ｃを備えている。具体的には、ファン１２からガイド１６ａまでの距離をＡ、ファン１３からガイド１６ｂまでの距離をＢ、ファン１４からガイド１６ｃまでの距離をＣとすると、Ａ＜Ｂ＜Ｃとなるように設定している。
【００２９】
そして、ファン１２はガイド１６ａまでの距離が短い為、後方にスペースが出来る事から、構造物（例えば配管）等の設置が可能であり、下方で排水蒸発装置１５に近い側に設置する。ファン１３は上方で排水蒸発装置１５に最も近くに設置して排水蒸発装置１５の
蒸発シート９にガイド１６ｂにより吐出空気を導けるように設置する。ファン１４は上方に設置し主に圧縮機５の冷却を行い、且つその排熱の一部を排水蒸発装置１５に導く様、ガイド１６ｃを設置している。
【００３０】
以上のように構成された自動販売機について、以下その動作、作用を説明する。
【００３１】
ファン１２、１３、１４により凝縮器２前面から外気を吸い込み凝縮器２と熱交換を行う。熱交換を行った外気は高温空気となり、ファン１２、１３、１４から吐出される。
【００３２】
このとき、ファン１２からガイド１６ａまでの距離をＡ、ファン１３からガイド１６ｂまでの距離をＢ、ファン１４からガイド１６ｃまでの距離をＣとすると、Ａ＜Ｂ＜Ｃとなるように設定しているので、距離が短いほど動圧が高く、その結果、ファン動圧が最も高くなるファン１２が最も風量が少なくなり、ファン１３は中、ファン１４は最も風量が多くなる。
【００３３】
ヒートポンプ運転等の加温運転において、庫内熱交換器１９もしくは凝縮器２の凝縮温度が目標温度より低く適正な運転が出来ない場合、ファン１２だけの運転を行う。ファン１２は最も風量が少なく且つ圧縮機５の冷却には関与していない為、凝縮温度を最も上げる事が出来、庫内熱交換器１９もしくは凝縮器２の温度を上げて目標温度に到達させる事が出来る。
【００３４】
また庫内熱交換器１９もしくは凝縮器２の凝縮温度が目標温度より高く適正な運転が出来ない場合、もしくは冷却による排水量が増える条件の場合（例えば中外気温時）ファン１３だけの運転もしくはファン１３＋ファン１４の運転を行う。ファン１３は風量が中間、ファン１４は風量が多いので、圧縮機５の冷却及び風量が増える事から庫内熱交換器１９の温度を下げて目標温度に到達させる事が出来る。また排水蒸発装置１５に溜まった排水も蒸発する事が出来る。
【００３５】
また、ファン１３＋ファン１４運転においても庫内熱交換器１９の凝縮温度が目標温度より高く適正な運転が出来ない場合、もしくは冷却運転で凝縮器２及び圧縮機５の温度が目標温度より高く、且つ排水量がさらに多い場合、ファン１２＋ファン１３＋ファン１４の運転を行う。風量は最も多くなる事から庫内熱交換器１９の温度を下げて目標温度に到達させる事が出来る。また凝縮器２及び圧縮機５の温度を下げて目標温度に到達させる事が出来る。また冷却運転による排水量の増加においても蒸発量を増加する事が出来る。
【００３６】
これにより、環境等の外的要因が変化しても目標凝縮温度で運転し続ける事が出来、且つ圧縮機５の冷却、排水の蒸発も条件に合わせて個別に、もしくは同時に行う事が出来る。
【００３７】
またファン１２とファン１３を排水蒸発装置１５に近く設置している為排水蒸発量をより多くする事が出来る。
【００３８】
またファン１２、１３、１４を凝縮器２に対して上方を下方より多く配置している為、排水蒸発装置１５の上方に置かれた蒸発シート９により多くの空気を効率良く送る事が出来、排水蒸発量をより多くする事が出来る。
【００３９】
したがって、凝縮器に備えられたファン後方の距離が確保しにくい自販機においても適用可能となる。
【産業上の利用可能性】
【００４０】
以上のように本発明にかかる自動販売機の冷却加温装置は、凝縮器温度を適正な温度でコントロールする事が出来、且つ圧縮機冷却と排水蒸発を環境、運転条件に応じて適正に行う事が出来るので、冷却加温装置を備えたあらゆる機器に適用出来る。
【符号の説明】
【００４１】
２  凝縮器
５  圧縮機
９  蒸発シート
１１  冷却加温ユニット
１２、１３、１４  ファン
１５  排水蒸発装置
１６  エアガイド
１６ａ、１６ｂ、１６ｃ  ガイド
１７  ファンコントロール部
１８  温度検知手段
１９  庫内熱交換器
【図１】
2012178100.tif 000003
【図２】
2012178100.tif 000004
【図３】
2012178100.tif 000005
【図４】
2012178100.tif 000006
【図５】
2012178100.tif 000007